【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
特定の発信先からの電話通信の着信を実行する手順を定める電話装置であって、
予め特定の発信先の識別情報を登録する識別情報登録手段と、
上記電話通信の着信を要求する着信要求信号を検出する着信要求検出手段と、
上記着信要求検出手段が上記着信要求信号を検出した場合に、該着信要求信号に係わる上記発信先の識別情報を検出する識別情報検出手段と、
上記識別情報検出手段によって検出された上記識別情報が上記識別情報登録手段に登録されているかを判断する識別情報登録判断手段と、
上記着信要求検出手段が上記着信要求信号を検出した場合に、上記電話通信の着信の呼出音を出力する呼出音出力手段と、
音響を検出する音響検出手段と、
上記音響検出手段が検出した音響に基づく音響情報を予め登録する音響情報登録手段と、
上記識別情報登録判断手段によって、上記識別情報が存在すると判断された場合に、上記音響検出手段によって検出された音響に基づく音響情報が、上記音響情報登録手段に登録されているかを判断する音響情報登録判断手段と、
上記音響情報登録判断手段によって、上記音響情報が登録されていると判断された場合に、上記着信の要求が行われた上記電話通信の着信を実行して、通話状態にする通話実行手段と、
電話通信の着信を実行させる手動操作が行われた場合に、上記電話通信の着信を実行して、通話状態にする着信の実行手段と
を備えることを特徴とする電話装置。
【請求項２】
上記識別情報が電話番号である請求項１に記載の電話装置。
【請求項３】
上記呼出音出力手段が、上記識別情報登録判断手段によって、上記識別情報が登録されていると判断された場合に、該識別情報を反映した呼出音を出力することを特徴とする請求項１、又は請求項２に記載の電話装置。
【請求項４】
上記音響情報は、上記音響検出手段によって検出された音響の周波数成分に基づく情報であることを特徴とする請求項１ないし請求項３の何れかに記載の電話装置。
【請求項５】
上記電話通信の受話音を出力する受話器と、
上記電話通信の送話音を入力する送話器と、
上記受話器と、上記送話器と、上記識別情報登録手段と、上記着信要求検出手段と、上記識別情報検出手段と、上記呼出音出力手段と、上記音響検出手段と、上記音響情報登録手段と、上記音響情報登録判断手段と、上記通話実行手段とを収容する筐体と、
上記筐体に取り付けられた複数の電極と、
上記複数の電極間の導通状態を検出する導通状態検出手段と、
上記導通状態検出手段によって検出された導通状態が、所定抵抗値以下であるかを判断する導通状態判断手段と、
上記導通状態判断手段によって、所定抵抗値以下であると判断された場合に、上記音響情報登録判断手段による判断精度を低下させる判断精度低下手段と
を備えることを特徴とする請求項１ないし請求項４の何れかに記載の電話装置。
【請求項６】
上記判断精度低下手段は、上記音響検出手段によって検出された音響から音響情報を作成する場合のサンプリング期間を短縮することで、上記音響情報登録判断手段による判断精度を低下させることを特徴とする請求項５に記載の電話装置。
【手続補正２】
【補正対象書類名】明細書
【補正対象項目名】全文
【補正方法】変更
【補正の内容】
【発明の詳細な説明】
【発明の名称】電話装置
【技術分野】
【０００１】
本発明は、電話通信の着信を実行する手順を定める電話装置の技術に関する。
【背景技術】
【０００２】
最近、電話を利用して、身内の不始末を欺瞞し、金品を搾取する詐欺行為や押し売りを行うことを目的とする迷惑電話が頻発し、社会問題化している。
又、この様な迷惑電話は、高齢者や判断力の低下した社会的弱者が標的となった場合には、簡単に騙され、多額の被害を発生させる虞がある。
【０００３】
このため、特許文献１に示すように、迷惑電話を登録し、着信しないようにしたり、家族などの発信先を登録しておき、この登録された発信先からの着信の要求があれば、そのことを表示したりする技術が開発されている。
【特許文献１】特開平９−１０７３９８号公報
【発明の開示】
【発明が解決しようとする課題】
【０００４】
しかしながら、従来の技術は、迷惑電話が繰り返された場合に、そこからの着信を阻止することができたり、家族からの呼出を識別可能にすることができるが、高齢者や判断力の低下した者に対しては、これらの機能だけでは、不十分であり、不用意に着信の要求に応答してしまうことが考えられる。この結果、騙されたり、不愉快な思いをしてしまうことが考えられる。
【０００５】
そこで、本発明は、着信の呼び出しがあった場合に、返事や拍手などの音響を発するだけで、家族や福祉関係者などの登録した発信先だけの着信を行うことが出来る電話装置の提供を行うことで、不用意な電話の応答が行われないようにすることが可能な技術の提供を目的とする。
【０００６】
又、登録した発信先以外からの電話通話に関しては、通常の電話装置の機能をそのまま提供することができる電話装置の提供を目的とする。
その上、高齢者や判断力の低下した者であっても電話の呼び出しに毎回同じように、習慣的に応答するだけで、登録した発信先からの電話通話だけが確実に着信される環境が提供され、電話の応答時に必要とされる注意力を極めて低くすると共に、迷惑電話を受けない手順の習慣化を創造することを目的とする。
【課題を解決するための手段】
【０００７】
上記課題を解決するための手段として、請求項１の発明の電話装置は、特定の発信先からの電話通信の着信を実行する手順を定める電話装置であって、予め特定の発信先の識別情報を登録する識別情報登録手段と、上記電話通信の着信を要求する着信要求信号を検出する着信要求検出手段と、上記着信要求検出手段が上記着信要求信号を検出した場合に、該着信要求信号に係わる上記発信先の識別情報を検出する識別情報検出手段と、上記識別情報検出手段によって検出された上記識別情報が上記識別情報登録手段に登録されているかを判断する識別情報登録判断手段と、上記着信要求検出手段が上記着信要求信号を検出した場合に、上記電話通信の着信の呼出音を出力する呼出音出力手段と、音響を検出する音響検出手段と、上記音響検出手段が検出した音響に基づく音響情報を予め登録する音響情報登録手段と、上記識別情報登録判断手段によって、上記識別情報が存在すると判断された場合に、上記音響検出手段によって検出された音響に基づく音響情報が、上記音響情報登録手段に登録されているかを判断する音響情報登録判断手段と、上記音響情報登録判断手段によって、上記音響情報が登録されていると判断された場合に、上記着信の要求が行われた上記電話通信の着信を実行して、通話状態にする通話実行手段と、電話通信の着信を実行させる手動操作が行われた場合に、上記電話通信の着信を実行して、通話状態にする着信の実行手段とを備えることを要旨とする。
【０００８】
これにより、電話装置は、着信要求信号によって、電話通信の着信の要求があると、呼出音出力手段によって、電話通信の着信の呼出音が出力される。この呼出音が出力されると、電話通信の着信の要求があることを、知ることが可能になる。この様に電話通信の着信の要求が知らせられると、例えば、受話ボタンを押したり、オフフックするなどの手動操作により電話通信の着信が実行されることになるが、この様な電話通信の着信の実行が行われずに放置されると、発信先との間が通話状態にはならない。又、その呼出音に応じて、着信の実行が行われると、発信先との間が、通話状態になる。
【０００９】
又、この電話装置は、着信要求検出手段が着信要求信号を検出すると、識別情報登録判断手段によって、その検出された着信要求信号に係わる発信先の識別情報が、識別情報登録手段に、予め登録されていたがの判断が行われる。
【００１０】
ここで予め登録されていたと判断された場合には、音響情報登録判断手段によって、音響検出手段によって検出された音響に基づく音響情報が、音響情報登録手段に予め登録されているかの判断が行われ、ここで、登録されていると判断されると、通話実行手段によって、着信の要求のあった電話通信の着信が実行され、発信先との間が通話状態にされる。
【００１１】
つまり、電話通信の着信の要求を知らせる呼出音があったときに、例えば、音響情報登録手段に予め登録しておいた音響、例えば、「はい」と同様な返事を行うだけで、受話ボタンを押したり、オフフックするなどを行うことなく、電話通信の着信の実行が行われ、発信先との間が接続されて、通話状態になる。
【００１２】
又、音響情報登録判断手段による判断は、音響情報登録手段に予め登録されている音響情報と、今検出された音響（リアルタイムで検出された音響のことである。）に基づく音響情報との例えば、相違度合いや、同一度合いに基づいて行われる。従って、例えば、音響を音響情報登録手段に予め登録した人と、今、音声を出した人とが同一の場合にだけ、登録されていると判断されるようにしたり、予め登録した人と、今、音声を出した人とが相違していても、同じ言葉、例えば、「はい」であれば、登録されていると判断するようにしたり、或いは、予め登録された言葉の一部が、今、音声として検出された場合に、登録されていると判断するようにしたりすることが可能である。これは、判断精度に関する設計事項であり、設定事項である。
【００１３】
従って、電話通信の着信を要求する呼出音が鳴った場合に、音響情報登録手段に予め登録しておいた音響と同様の返事をするだけで、予め登録しておいた特定の発信先だけの間の着信の実行が可能になる。又、予め登録しておいた特定の発信先以外からの電話通信の着信の要求に対しては、返事をするだけでは、着信の実行が行われることのない電話通信の着信の手順が得られる。
【００１４】
請求項２の発明の電話装置は、上記識別情報が電話番号である請求項１に記載の電話装置を要旨とする。
これにより、電話装置は、請求項１と同様の作用を有することに加え、着信要求検出手段が着信要求信号を検出すると、識別情報登録判断手段によって、その検出された着信要求信号に係わる発信先の電話番号が、識別情報登録手段に、予め登録されていたかが判断される。
【００１５】
つまり、識別情報登録手段の判断が電話番号で行われる。このことで、電話番号の通知がない場合や通知された電話番号が識別情報登録手段に予め記憶されている電話番号と一致しない場合に、以後の、音響情報登録判断手段の実行が行われず、結果として、通話実行手段によっては、電話通信の着信の実行も行われない。
【００１６】
従って、通話実行手段による電話通信の着信の実行を左右する識別情報登録手段の登録内容が電話番号になり、登録作業が簡単になる。
請求項３の発明の電話装置は、上記呼出音出力手段が、上記識別情報登録判断手段によって、上記識別情報が登録されていると判断された場合に、該識別情報を反映した呼出音を出力することを特徴とする請求項１、又は請求項２に記載の電話装置。
【００１７】
これにより、請求項３の電話装置は、請求項１、又は請求項２と同様の作用を有することに加え、呼出音が、識別情報登録手段に予め登録されていた識別情報に係わる特定の発信先からの着信の要求であることを反映する。
【００１８】
従って、呼出音を聞くだけで、例えば、予め登録しておいた家族や福祉関係者からの電話通信であることが理解できると共に、例えば、「はい」と返事をするだけで着信が実行されることも理解でき、見知らぬ者からの迷惑電話ではないかとの疑念を持つことなく、安心して、電話通信の着信の実行を行うことが可能になる。
【００１９】
請求項４の発明の電話装置は、上記音響情報は、上記音響検出手段によって検出された音響の周波数成分に基づく情報であることを特徴とする請求項１ないし請求項３の何れかに記載の電話装置を要旨とする。
【００２０】
これにより、請求項４の電話装置は、請求項１ないし請求項３と同様の作用を有することに加え、音響の周波数成分に基づく音響情報によって、音響情報登録判断手段による判断が行われることから、例えば、周波数成分の分布の状態を検出する声紋分析の手法を音響情報登録判断手段による登録の有無の判断で活用することが可能になる。
【００２１】
従って、例えば、声紋の一致状態や相違状態を判断に利用することが可能になり、個人の特定や男女の特定が可能なほどの高い精度の判断、或いは物音か、音声かの判別が可能なほどの識別度の高い判断が可能になる。
【００２２】
請求項５の発明の電話装置は、上記電話通信の受話音を出力する受話器と、上記電話通信の送話音を入力する送話器と、上記受話器と、上記送話器と、上記識別情報登録手段と、上記着信要求検出手段と、上記識別情報検出手段と、上記呼出音出力手段と、上記音響検出手段と、上記音響情報登録手段と、上記音響情報登録判断手段と、上記通話実行手段とを収容する筐体と、上記筐体に取り付けられた複数の電極と、上記複数の電極間の導通状態を検出する導通状態検出手段と、上記導通状態検出手段によって検出された導通状態が、所定抵抗値以下であるかを判断する導通状態判断手段と、上記導通状態判断手段によって、所定抵抗値以下であると判断された場合に、上記音響情報登録判断手段による判断精度を低下させる判断精度低下手段とを備えることを特徴とする請求項１ないし請求項４の何れかに記載の電話装置を要旨とする。
【００２３】
これにより、請求項５の発明の電話装置は、請求項１ないし請求項４と同様の作用を有することに加え、受話器と、送話器と、識別情報登録手段と、着信要求検出手段と、識別情報検出手段と、呼出音出力手段と、音響検出手段と、音響情報登録手段と、音響情報登録判断手段と、通話実行手段とを収容する筐体に取り付けられた複数の電極間の導通状態が導通状態検出手段によって検出され、導通状態判断手段によって、その導通状態が所定抵抗値以下であるかが判断され、ここで所定抵抗値以下であるとの判断が行われると、判断精度低下手段が音響情報登録判断手段による判断精度の低下を行わせる。
【００２４】
この判断精度の低下により、例えば、音響情報登録判断手段による登録の有無の判断で、今検出した音響情報が音響情報登録手段に記憶されていたと判断されるための閾値が低くなり、記憶されていたと判断されるまでに要する時間が短縮される。
【００２５】
例えば、判断精度が低下される前が返事の「はい」の全体を検出するまで、登録されていると判断されることがない場合に、判断精度が低下されて以後は、返事の出だしの「は」の一部分を検出するだけで、登録されていたと判断される様にすることが可能になる。或いは、判断精度が低下される前が「はい」の全体を検出するまで、登録されていたと判断されることがない場合に、判断精度が低下されて以後は、音声の「へ」を検出したときや、登録者と違う人が発した返事の「はい」を検出したときに、登録されていたと判断される様にすることが可能である。この場合の判断精度の低下の状態は、適宜選択する設計事項、又は設定事項である。
【００２６】
従って、例えば、筐体が物の上に置かれていたり、ポケットに入れられている場合は、電極間の導通状態が所定抵抗値を越えていると判断され、筐体を手で持った場合には、電極間の導通状態が所定抵抗値以下であると判断されるように設定しておくことで、筐体が手で持たれているか否かに応じた判断精度の増減制御が可能になる。
【００２７】
この結果、筐体を手で持っている場合には、例えば、「は」という音声や、舌打ちなどの音響を出すだけで着信が実行され、筐体がポケットに入れられている場合には、「はい」という返事の全てが出されるまで、着信が実行されないようにすることができる。
【００２８】
これにより、例えば、筐体を手で持たずにポケットなどに入れている場合には、筐体が服にすれた音や周囲の音などで誤って着信が実行されないようにでき、筐体を手で持っている場合には、着信の実行を行う意思の確認ができる最小限の音響、例えば、「は」等の音声を検出した時点で着信を実行するようにでき、例えば、手でもって操作する携帯電話装置などの実際の使用状態を反映した着信の実行の手順を定めることが可能になる。
【００２９】
請求項６の発明の電話装置は、上記判断精度低下手段は、上記音響検出手段によって検出された音響から音響情報を作成する場合のサンプリング期間を短縮することで、上記音響情報登録判断手段による判断精度を低下させることを特徴とする請求項５に記載の電話装置を要旨とする。
【００３０】
これにより、請求項６の発明の電話装置は、請求項５と同様の作用を有することに加え、音響情報登録判断手段による判断精度の低下が、音響検出手段によって検出された音響から音響情報を作成する場合のサンプリング期間の短縮によって行われる。
【００３１】
従って、短時間のサンプリング期間によって得た音響情報に基づいて、音響情報同士の一致度合いや相違度合いが判断されることになり、結果として、対比箇所が少なくなって、判断精度が低くなる。
【発明の効果】
【００３２】
請求項１の電話装置は、電話通信の着信を要求する呼出音が鳴った場合に、返事をするだけで、予め登録しておいた特定の発信先だけからの着信の実行が可能になると共に、予め登録しておいた特定の発信先以外からの電話通信の着信の要求に対しては、着信の実行が行われない電話通信の着信の手順が得られることから、呼出音が鳴った場合に、何時も同じ返事を行うだけで、予め登録しておいた家族などの発信先からだけの着信を行うことが出来ると共に、登録しておいた発信先以外からの電話通話に関しては、いつもの返事だけでは繋がらず、通常の電話装置のオフフックによる接続の機能だけを提供することができる。
【００３３】
この結果、通常の電話装置のオフフックによる電話の接続の機能を備えると共に、着信の呼び出しがあった場合に、返事や拍手などの音響を発するだけで、予め登録しておいた家族や福祉関係者などだけの着信を行うことが出来る電話装置の提供が行われ、何気なくオフフックしてしまうと言った不用意な電話の着信の実行が行われないようにすることが可能な技術の提供ができ、この技術によって、迷惑電話の高い排除機能を提供することが可能になるという極めて優れた効果を奏する。
【００３４】
その上、高齢者や判断力の低下した者であっても電話の呼び出しに毎回同じように、習慣的に返事で応答するだけで、登録した発信先からの電話通話だけが確実に着信の実行が行われる環境が提供される。
【００３５】
これにより、何時も同じように返事をするだけで良いため、電話の応答時に必要とされる注意力を極めて低くすることができると共に、迷惑電話の着信の実行を不用意に行ってしまわない手順の習慣化の創造が可能になって、高齢者や判断力の低下した者に対して、迷惑電話の排除機能が有効に活用されるようになるという極めて優れた効果を奏する。
【００３６】
請求項２の電話装置は、請求項１と同様の効果を有することに加え、通話実行手段による電話通信の着信の実行を左右する識別情報登録手段の登録内容が電話番号になって、登録作業が簡単でかつ明確になることから、電話通信の着信を音響で行うことを可能にする発信先の登録作業が少ない工数で且つ間違いなく行うことが出来るという極めて優れた効果を奏する。
【００３７】
請求項３の電話装置は、請求項１、又は請求項２と同様の効果を有することに加え、呼出音を聞くだけで、例えば、家族や福祉関係者からの電話通信であることが理解できると共に、例えば、「はい」と返事をするだけで着信が実行されることも理解でき、見知らぬ者からの迷惑電話ではないかとの疑念を持つことなく、安心して、電話通信の着信の実行を行うことが可能になることから、迷惑電話の排除機能をより信頼性の高いものにすることができるという極めて優れた効果を奏する。
【００３８】
請求項４の電話装置は、請求項１ないし請求項３と同様の効果を有することに加え、例えば、声紋の一致状態や相違状態を判断に利用することが可能になり、個人の特定や男女の特定が可能なほどの高い精度の判断、或いは物音か、音声かの判別が可能なほどの識別度の高い判断が可能になるなど、高い設計の自由度を提供することが出来るという極めて優れた効果を奏する。
【００３９】
請求項５の電話装置は、請求項１ないし請求項４と同様の効果を有することに加え、例えば、筐体を手で持たずにポケットなどに入れている場合には、筐体が服にすれた音や周囲の音などで誤って着信が実行されないようにし、筐体を手で持っている場合には、着信の実行を行う意思の確認ができる最小限の音響、例えば、「は」等の音声を検出した時点で着信を実行するようにでき、例えば、携帯電話装置などの実際の使用状態を反映した着信の実行の手順を定めることが可能になり、高い実用性を提供することが可能になると言う極めて優れた効果を奏する。
【００４０】
請求項６の発明の電話装置は、請求項５と同様の効果を有することに加え、短時間のサンプリング期間によって得た音響情報に基づいて、音響情報同士の一致度合いや相違度合いが判断されることになることから、適切に着信の実行を行う意思の確認ができる最小限の音響、例えば、筐体を手で持っている場合は、「は」等の出だしの音声を検出した時点で着信を実行するようにでき、筐体をポケットなどに入れている場合には、着信の実行が誤って行われないように、長時間を掛けて高い精度で判断が行われるようにすることが可能になり、高い実用性を提供する構成が簡単に実現可能になると言う極めて優れた効果を奏する。
【発明を実施するための最良の形態】
【００４１】
次に発明の実施の形態を説明する。
図１は、電話装置１の使用状態の説明図、図２は、電話装置１のブロック図である。電話装置１は、図１に示すように、長方箱状の筐体３と、筐体３の操作側４に取り付けられたディスプレイ５と、ディスプレイ５に並んで配設された操作ボタン部７と、受話音や呼出音を出力するスピーカ９と、送話音や返事の音を検出するマイク１１と、着信の要求を表示する表示灯１３と、電源供給や外部入出力を行うコネクタ部１５と、筐体３の吊り下げストラップ１９の取り付け用のリング１７と、筐体３の操作側４の隣接側２１、２３に取り付けられた電極２５、２７とを備えている。
【００４２】
操作ボタン部７には、通話ボタン３１と、切ボタン３３と、数値記号ボタン３５とが備えられている。
電極２５、２７は、図１に示すように、筐体３の操作側４を開けた状態で、手３７で筐体３を持った場合に、２つの電極２５と、電極２７とが手３７の指や平に接触する形状を備え、且つ接触する位置、ここでは隣接側２１、２３に設けられている。これにより、電話装置１を使おうとして、筐体３を手３７で持つと、電極２５と、電極２７との間の抵抗値が急激に低下して、所定抵抗値以下に低下する。
【００４３】
又、電話装置１は、図２に示すように、図示しない公衆無線電話網との間で無線通信を行うアンテナ４１と、このアンテナ４１に接続された無線電話ユニット４３とを備え、周知の携帯型無線電話装置の構成を有する。尚、携帯型無線電話装置の構成に関しては、詳細な図示を省略するが、電話の着信を行うものであれば、どの様なものであっても良い。
【００４４】
又、無線電話ユニット４３は、各種処理を行う周知のマイクロコンピュータの機能を提供するＲＡＭ４５と、ＣＰＵ４７と、ＲＯＭ４９とを備えている。
この様な構成を有する無線電話ユニット４３は、マイク１１からの音声の入力と、スピーカ９への音響の出力と、ディスプレイ５への表示と、操作ボタン部７への操作の入力と、表示灯１３の点灯状態とをＣＰＵ４７などが制御することで、周知の無線電話機能を提供する。
【００４５】
例えば、アンテナ４１を介して、着信要求信号を受信した場合には、表示灯１３の点灯と、スピーカ９による呼出音の出力とを行う。
この場合に、通話ボタン３１（図１参照）の操作を検出すると、着信の実行を行い、スピーカ９から受話音を出力し、マイク１１から送話音を入力するという電話通話を提供する。
【００４６】
又、着信要求信号を受信していない状態で、通話ボタン３１の操作が検出された場合には、次ぎに、数値記号ボタン３５（図１参照）の操作を検出し、この操作が所定の規則を満たしている場合、例えば、電話番号である場合には、その電話番号による発信を実行する。発信の結果、発信先による着信の実行が行われたことを検出すると、スピーカ９とマイク１１とによる電話通話を開始する。
【００４７】
発信、又は着信により電話通話の状態で、切ボタン３３（図１参照）の操作を検出した場合には、通話状態を終了させる。
電話装置１は、上述した周知の電話装置の機能を有することに加え、以下に示す構成を有する。
【００４８】
２つの電極２５、２７は、図２に示すようなタッチ検出回路３９に接続されている。タッチ検出回路３９は、無線電話ユニット４３に接続されている。
又、電極２５、２７間の抵抗値が所定値を越える場合、つまり電話装置１を手３７で持っていない場合には、タッチ検出回路３９は、タッチ検出否信号（ハイ状態）を無線電話ユニット４３に出力し、電極２５、２７間の抵抗値が所定値以下である場合、つまり電話装置１を手３７で持っている場合には、タッチ検出回路３９は、タッチ検出信号（ロー状態）を無線電話ユニット４３に出力する。
【００４９】
これにより、無線電話ユニット４３が備えるＣＰＵ４７は、電話装置１が手３７で持たれているか否かの情報を利用することが可能になる。
一方、送話音を検出するマイク１１は、無線電話ユニット４３に直接接続されると共に、アナログ信号をディジタル信号に変換後、所定の周波数成分の強度を抽出するディジタルフィルタを備えたアナログ信号処理部５１に接続されている。
【００５０】
例えば、アナログ信号処理部５１は、マイク１１から入力した音声のレベルを所定値に調整後、所定のサンプリング周波数でディジタルデータに変換し、２００Ｈｚ〜２０００Ｈｚの帯域を１００Ｈｚ刻みで、帯域通過フィルタ処理し、その帯域に信号があるか否かを０．１秒毎に出力する機能を有する。この機能に関しては、慣用されている色々な手法の利用が可能であり、詳細な説明は省略する。
【００５１】
この様な機能を有することで、アナログ信号処理部５１は、例えば、時点ｔ１〜時点ｔ２の０．１秒間に「あ」という音声を入力した場合に、図３の周波数帯域毎の出力の説明図の指示５３に示すように、例えば、帯域２００Ｈｚ、３００Ｈｚが「１」、帯域４００Ｈｚ、５００Ｈｚが「０」の様に、帯域毎に、信号が検出されたことを示す「１」、又は信号が検出されなかったことを示す「０」が出力される。
【００５２】
この様な帯域毎の信号の有無を時間の経過に従ってグラフ化したものが、所謂声紋波形である。
又、無線電話ユニット４３は、図２に示すアプリケーションカードソケット５５を備え、アプリケーションソフトウエアを格納したアプリケーションメモリ５７を利用可能な構成を有する。
【００５３】
この構成により、アプリケーションメモリ５７に後述するようなアプリケーションソフトウエアを格納させておくことで、そのアプリケーションソフトウエアを起動し実行することが可能になる。
【００５４】
以下に、そのアプリケーションソフトウエアの例を説明する。
図４は、ＣＰＵ４７で所定時間毎に起動される自動受話対象登録処理ルーチンのフローチャート、図５は、老人用自動受信処理ルーチンのフローチャート、図６は、自動着信番号登録処理ルーチンのフローチャート、図７は、特徴抽出処理ルーチンのフローチャート、図８は、抽出した特徴に該当する登録特徴の出だしをサーチ処理ルーチンのフローチャート、図９は、抽出した特徴に該当する登録特徴の出だしから２秒間をサーチ処理ルーチンのフローチャートである。
【００５５】
先ず、図４に基づいて、自動受話対象登録処理を説明する。
自動受話対象登録処理がＣＰＵ４７で起動されると、先ず押しボタン操作入力を行い（Ｓ１００）、次いで、自動受話者登録操作を指示する押しボタン操作があったか否かを判断することで、自動受話者登録操作があったかを判断する（Ｓ２００）。尚、自動受話者登録操作を指示する押しボタン操作は、数値記号ボタン３５を予め決められた手順で操作を行う設計事項である。
【００５６】
ここで、自動受話者登録操作があったと判断出来なかった場合には（Ｓ２００）、本自動受話対象登録処理ルーチンをそのまま一旦終了する。
一方、自動受話者登録操作があったと判断出来た場合には（Ｓ２００）、先ず、登録開始のメッセージをディスプレイ５と、スピーカ９とに出力し（Ｓ３００）、続いて、マイク１１が検出した音響をアナログ信号処理部５１を介して入力する返事の音取込処理を行う（Ｓ４００）。この返事の音取込処理により、図３に基づいて既述した様に、マイク１１が検出した音響の０．１秒毎の周波数帯域毎のデータが入力される。
【００５７】
次いで、返事の音取込処理で読み込んだ周波数帯域毎のデータの特徴を抽出する特徴抽出処理を行って（Ｓ５００）、その抽出した特徴（時系列の周波数分布）をアプリケーションメモリ５７内の自動着信対象特徴格納エリア５９（図２参照）に書き込む格納処理を行う（Ｓ６００）。
【００５８】
Ｓ５００の特徴抽出処理では、図７に示すように、先ず、Ｓ４００の返事の音取込処理で入力した周波数帯域毎のデータ、例えば図３の指示５３に示すようなデータを入力して（Ｓ５１０）、信号が検出されたことを示す「１」の周波数帯域を抽出する周波数分布の抽出処理を行い（Ｓ５２０）、その抽出した周波数分布を時系列で一時格納する処理（Ｓ５３０）を順次実行する。この特徴抽出処理（Ｓ５００）は、サブルーチンとして、呼び出され、適宜実行される。
【００５９】
このＳ４００による返事の音取込処理からＳ６００の格納処理までを２秒間経過したと判断されるまで（Ｓ７００）、続ける。つまり、２秒間の音響の特徴を抽出して、格納するサンプリングが行われる。この２秒間は、Ｓ３００による登録開始のメッセージの出力を確認後、登録用の音声、例えば「ハイ  ハイ」等を発声することを想定し、その「ハイ  ハイ」等の特徴の抽出が担保されるのに必要とされる時間である。尚、この２秒間は、設計値である。
【００６０】
例えば、この２秒間のサンプリングが行われることにより、「ハイ  ハイ」を０．１秒毎にサンプリングした周波数帯域毎のデータが得られる。
Ｓ７００による２秒間の計測の終了後、次登録開始の確認メッセージをディスプレイ５に表示して（Ｓ８００）、続いて、次登録の開始を求める押しボタン操作があるか、次登録の開始を求めない押しボタン操作があるかの判断を行う（Ｓ９００）。尚、次登録の開始を求める押しボタン操作や次登録の開始を求めない押しボタン操作は、数値記号ボタン３５を予め決められた手順で操作を行う設計事項である。
【００６１】
ここで、次登録を求めると判断した場合は（Ｓ９００）、Ｓ３００の登録開始のメッセージの出力の処理からを繰り返し、次登録を求めないと判断した場合には（Ｓ９００）、本自動受話対象登録処理を一旦終了する。
【００６２】
以上に説明した自動受話対象登録処理により、電話装置１を自動受話で利用する利用者の音声の特徴を登録することが出来る。
次ぎに、自動着信対象の電話番号を登録する自動着信番号登録処理を図６に基づいて説明する。
【００６３】
自動着信番号登録処理がＣＰＵ４７で所定時間毎に起動されると、先ず押しボタン操作入力を行い（Ｓ１０００）、次いで、自動着信番号登録処理を指示する押しボタン操作があったか否かを判断することで、自動着信番号登録処理操作があったかを判断する（Ｓ１１００）。尚、自動着信番号登録処理操作を指示する押しボタン操作は、数値記号ボタン３５を予め決められた手順で操作を行う設計事項である。
【００６４】
ここで、自動着信番号登録処理操作があったと判断出来なかった場合には（Ｓ１１００）、本自動着信番号登録処理ルーチンをそのまま一旦終了する。
一方、自動着信番号登録処理操作があったと判断出来た場合には（Ｓ１１００）、数値記号ボタン３５の操作状態を検出する登録番号入力処理を行って（Ｓ１２００）、予め定めた登録実行を意味する数値記号ボタン３５の操作が行われたか否かを判断することによる登録の判断を行い（Ｓ１３００）、登録を行うと判断した場合には、続いて、数値記号ボタン３５の操作状態をアプリケーションメモリ５７の自動着信番号格納エリア６１（図２参照）に格納する自動着信番号登録処理を行い（Ｓ１４００）、他方、登録を行うと判断出来なかった場合には、自動着信番号登録処理（Ｓ１４００）を行うことなく、予め定めた登録終了を意味する数値記号ボタン３５の操作が行われたか否かを判断することによる終了の判断を行う（Ｓ１５００）。
【００６５】
ここで、終了と判断した場合には（Ｓ１５００）、本自動着信番号登録処理を一旦終了し、終了と判断できなかった場合には（Ｓ１５００）、登録番号入力処理（Ｓ１２００）ないし終了の判断（Ｓ１５００）を繰り返す。
【００６６】
以上に説明した自動着信番号登録処理により、自動着信を行う電話番号、例えば、家族の電話番号や福祉関係者の電話番号の登録が可能になる。
次ぎに、上述した自動受話対象登録処理と、自動着信番号登録処理とを行った電話装置１の使用例を説明する。
【００６７】
アンテナ４１を介して無線電話ユニット４３が着信呼出信号を受信すると、図５に示す老人用自動受信処理がＣＰＵ４７で起動され、先ず電極２５、２７間の抵抗値の状態から筐体３が手３７で持たれているかを判断するために利用するタッチ検出回路３９の出力を入力するタッチ検出信号の入力処理を行い（Ｓ２０００）、その入力結果がタッチ検出信号を入力したタッチ有りか、タッチ検出否信号を入力したタッチ無しかを判断する（Ｓ２１００）。タッチ有りと判断された場合、つまり筐体３が手３７で持たれている場合には、次ぎに、タッチ有りフラグをアプリケーションメモリ５７のタッチフラグ設定エリア６３（図２参照）にセットする処理を行い（Ｓ２２００）、一方、タッチ無しと判断された場合、つまり筐体３が手３７で持たれていない場合には、次ぎに、タッチ有りフラグセット処理（Ｓ２２００）を行うことなく、次の着信番号検出処理を行う（Ｓ２３００）。
【００６８】
この着信番号検出処理では、アンテナ４１を介して入力した着信呼出信号に含まれる着信番号を予め定められた手法で抽出する。
ここで、着信番号検出処理を行って後、検出した着信番号が既述したＳ１４００の処理で自動着信番号格納エリア６１に予め登録されているか否かを判断し（Ｓ２４００）、登録されていない場合、例えば、迷惑通話の可能性がある着信呼出信号に着信番号が含まれていない場合（電話番号を通知してこなかった場合）、或いは自動着信を行うことを選択しない着信番号が含まれていた場合（身内や福祉関係者以外の場合）には、本老人用自動受信処理をそのまま一旦終了する。これにより、以後の、自動着信処理が行われなくなり、通常の受話手続である通話ボタン３１（図１参照）を操作しての着信の実行（オフフック）を行うことなく、着信の実行が行われなくなる。
【００６９】
一方、着信番号が登録されていた場合には（Ｓ２４００）、先ず、自動着信の対象の着信の要求があることを電話装置１の利用者に報知するために、着信番号専用の着信音、例えば、通常の着信の呼び出しとは異なる呼出音をスピーカ９から出力し（Ｓ２５００）、次いで、その報知の結果、電話装置１の利用者が自動着信の手順を履行することによる返事の音をマイク１１から取り込んで（Ｓ２６００）、マイク１１から取り込んだ返事の音の特徴を抽出（特徴抽出）する（Ｓ２７００）。ここでの特徴抽出は、既述したＳ５００の特徴抽出処理とほぼ同様の処理を行うことで、Ｓ５００の特徴抽出で取得され、自動着信対象特徴格納エリア５９に書き込まれた周波数帯域毎のデータの特徴と対比が容易な型式にした情報を取得する趣旨である。
【００７０】
特徴抽出の後（Ｓ２７００）、Ｓ２２００の処理でセットされるタッチ有りフラグを参照して、タッチ有りか否かを判断し（Ｓ２８００）、その判断結果に応じて、以下のように、タッチの有無による電話装置１の着信の実行の意思の確認の判断精度の高低を選択する。
【００７１】
先ず、タッチがある場合、つまり筐体３が手３７で持たれている場合には、着信の意思の確認の判断精度を低くしても誤った着信の実行が行われる可能性が低いと判断して、次の抽出した特徴に該当する登録特徴の出だしをサーチする処理を行う（Ｓ２９００）。
【００７２】
この抽出した特徴に該当する登録特徴の出だしをサーチする処理（Ｓ２９００）では、図８に示すように、先ずＳ２７００の特徴抽出で取得された周波数帯域毎のデータから０．５秒間の周波数分布のデータの入力を行い（Ｓ２９１０）、次いで、自動着信対象特徴格納エリア５９に格納されている特徴の周波数分布の時系列のデータから０．５秒間分を読み込み（格納してある周波数分布の０．５秒間分を読み込み）（Ｓ２９２０）、Ｓ２９１０で入力した周波数分布のデータと、Ｓ２９２０で読み込んだ周波数分布のデータとの相関度、ここでは以下に示すように、両データの個々の周波数帯域で、信号が検出されたことを示す「１」が設定されているものの一致比率を算出し（Ｓ２９３０）、算出した相関度が５０パーセント以上一致するか否を判断し（Ｓ２９４０）、判断結果が相関度が５０パーセント以上一致であれば、次ぎに該当有りのフラグをアプリケーションメモリ５７の該当有りフラグ格納エリア６５（図２参照）にセットし（Ｓ２９５０）、本抽出した特徴に該当する登録特徴の出だしをサーチする処理を一旦終了し、他方、Ｓ２９４０の判断結果が相関度が５０パーセント以上一致していないであれば、次ぎに該当有りフラグ格納エリア６５のクリアを行って（Ｓ２９６０）、本抽出した特徴に該当する登録特徴の出だしをサーチする処理を一旦終了する。
【００７３】
上記相関度の算出で、両データの個々の周波数帯域で、信号が検出されたことを示す「１」が設定されているものの一致比率の補足説明を以下に記す。
例えば、Ｓ２７００によって、図３の周波数帯域毎の出力の説明図の指示５３に示すような周波数分布のデータが入力されたとし、自動着信対象特徴格納エリア５９に、指示５３に示すような周波数分布のデータが格納されていた場合には、相関度が１００パーセントであると算出する。尚、この相関度の算出は、自動着信対象特徴格納エリア５９に格納されている全データに対して、順次実行する。
【００７４】
又、Ｓ２７００によって、指示６７に示すような周波数分布のデータが入力されたとし、自動着信対象特徴格納エリア５９に、指示５３に示すような周波数分布のデータが格納されていた場合には、相関度が５０パーセントであると算出する。つまり、指示５３で「１」である数量が「１０」であり、指示５３と指示６７とで一致する周波数帯域の数が「５」であることから、５０パーセントの相関度があると判断する。
【００７５】
この処理により、Ｓ２７００で抽出した特徴、つまり周波数分布の時系列と、自動着信対象特徴格納エリア５９に格納されている特徴の周波数分布の時系列とが対比され、両者間の一致周波数帯域の数が基準値（実験により求めた適切な値、ここでは５０パーセント）以上であるか否かの判断が、自動着信対象特徴格納エリア５９に格納されている全ての特徴に対して順次実行され、両者間の一致周波数帯域の数が基準値以上であると判断された時点で、該当有りとの判断結果が出力される。
【００７６】
一方、タッチがない場合、つまり筐体３が手３７で持たれていない場合には、電話装置１の利用者が着信の要求があったことを知らない可能性が高く、意思の確認の判断精度を高くして、誤った着信の実行が行われないようにする必要があると判断して、次の抽出した特徴に該当する登録特徴の出だしから２秒間をサーチする処理を行う（Ｓ３０００）。
【００７７】
この抽出した特徴に該当する登録特徴の出だしから２秒間をサーチする処理（Ｓ３０００）では、図９に示すように、先ずＳ２７００の特徴抽出で取得された周波数帯域毎のデータから２秒間の周波数分布の時系列のデータの入力を行い（Ｓ３０１０）、次いで、自動着信対象特徴格納エリア５９に格納されている特徴の周波数分布の時系列のデータから２秒間分を読み込み（格納してある周波数分布の２秒間分を読み込み）（Ｓ３０２０）、Ｓ３０１０で入力した周波数分布の各時系列のデータと、Ｓ３０２０で読み込んだ周波数分布の各時系列のデータとの相関度の一致比率を算出し（Ｓ３０３０）、算出した相関度が５０パーセント以上一致するか否を判断し（Ｓ３０４０）、判断結果が相関度が５０パーセント以上一致であれば、次ぎに該当有りのフラグをアプリケーションメモリ５７の該当有りフラグ格納エリア６５にセットし（Ｓ３０５０）、本抽出した特徴に該当する登録特徴の出だしから２秒間をサーチする処理を一旦終了し、他方、Ｓ３０４０の判断結果が相関度が５０パーセント以上一致していないであれば、次ぎに該当有りフラグ格納エリア６５のクリアを行って（Ｓ３０６０）、本抽出した特徴に該当する登録特徴の出だしから２秒間をサーチする処理を一旦終了する。
【００７８】
上記相関度の算出で、両データの個々の周波数帯域で、信号が検出されたことを示す「１」が設定されているものの一致比率の補足説明を以下に記す。
例えば、Ｓ２７００によって、図３の周波数帯域毎の出力の説明図の指示５３に示すような０．５秒間分の周波数分布のデータが時系列で２秒間分入力されたとし、自動着信対象特徴格納エリア５９に、指示５３に示すような０．５秒間分の周波数分布が時系列で２秒間分格納されていた場合には、各０．５秒間の相関度がそれぞれ１００パーセントであり、２秒間分の時系列の相関度も１００パーセントであると算出する。尚、この相関度の算出は、自動着信対象特徴格納エリア５９に格納されている全データに対して、順次実行する。
【００７９】
又、Ｓ２７００によって、指示６７に示すような周波数分布のデータが２秒間分入力されたとし、自動着信対象特徴格納エリア５９に、指示５３に示すような周波数分布の２秒間分のデータが格納されていた場合には、０．５秒間分の相関度がそれぞれ５０パーセントでなり、２秒間分の時系列の相関度も５０パーセントであると算出する。
【００８０】
この処理により、Ｓ２７００で抽出した特徴、つまり周波数分布の２秒間分の時系列と、自動着信対象特徴格納エリア５９に格納されている特徴の周波数分布の２秒間分の時系列とが対比され、両者間の一致周波数帯域の数が基準値（実験により求めた適切な値、ここでは５０パーセント）以上であるか否かの判断が、自動着信対象特徴格納エリア５９に格納されている全ての特徴に対して順次実行され、両者間の一致周波数帯域の数が基準値以上であると判断された時点で、該当有りとの判断結果が出力される。
【００８１】
従って、０．５秒間分の相関度による判断を行うＳ２９００の場合に比べて、０．５秒間分の相関度が時系列で４個分に渡って所定の（５０パーセント以上の）相関度を有していることを条件とすることになる。つまり、「はい  はい」等の２秒程度の単語の相関度を判断することが可能になる。
【００８２】
これにより、筐体３を手３７で持っていない場合は、２秒程度の単語の相関度による判断が可能になり、０．５秒程度の音声によって判断を行う手３７で持っている場合より、相関度の算出値の精度が向上される。
【００８３】
上述したＳ２９００又はＳ３０００のサーチの後、着信呼出信号が継続中であるかを判断することで、着信の要求の呼出継続中かを判断し（Ｓ３１００）、呼出継続中でなければ、本老人用自動受信処理を一旦終了し、呼出継続中であれば（Ｓ３１００）、該当有りフラグ格納エリア６５に該当有りのフラグがセットされているかを見ることで、該当有りかを判断し（Ｓ３２００）、該当有りのフラグがセットされていなければ該当有りとの判断を行わず、着信番号専用の着信音出力（Ｓ２５００）から該当有りかの判断（Ｓ３２００）までを繰り返し、該当有りのフラグがセットされていれば、該当有りと判断して、次ぎに、無線電話ユニット４３に着信を実行させて、通話状態にし（Ｓ３３００）、アプリケーションメモリ５７のタッチフラグ設定エリア６３のクリアを行うタッチ有りフラグクリアを行って（Ｓ３４００）、本老人用自動受信処理を一旦終了する。
【００８４】
以上に説明した老人用自動受信処理により、着信の要求があった場合に、筐体３を手３７で持っているか否かの別に応じて、例えば、手３７で持っている場合には、音声であることを判断できる程度の相関度の判断精度（返事の出だしに相当するサンプリング期間）で着信の応答の意思を確認して、着信の実行を行い、一方、筐体３を手３７で持っていない場合には、返事として登録した単語の一致を判断できる程度の判断精度（返事の長さに相当するサンプリング期間）で着信の意思を確認して、着信の実行を行うことが可能になる。
【００８５】
これにより、例えば、電話装置１をポケットや鞄の中に入れている場合に、着信の要求があった場合には、周囲の音で誤って着信の実行が行われることが防止される。又、電話装置１を手３７で持っている場合には、返事の出だしや返事の一部に相当する短時間の発声だけで電話の応答の意思の確認が完了されるので、スムースな電話の着信の実行が可能になる。
【００８６】
以上に説明した電話装置１は、電話通信の着信を要求する呼出音が鳴った場合に、予め登録しておいたのと同様な返事を行うだけで、予め登録しておいた特定の発信先からの着信の実行が可能になると共に、予め登録しておいた特定の発信先以外からの電話通信の着信の要求に対しては、返事を行うだけでの着信の実行が行われない電話通信の着信の実行手順が得られる。
【００８７】
このことから、電話の着信の要求を表現する呼出音が鳴った場合に、何時も同じ返事を行うだけで、家族などの登録した発信先からだけの着信の実行を行うことが出来ると共に、登録した発信先以外からの電話通話に関しては、返事を行うだけでは着信の実行が行われず、受話器を取ったり、通話ボタン３１を操作するなどのオフフックによる着信の実行を行う一般的な通常の電話装置１の機能を提供することができる。この結果、通常の電話装置１の機能をそのまま備えると共に、着信の要求の呼出音が鳴った場合に、予め登録しておいたのと同様な返事や拍手などの音響を発するだけで、家族や福祉関係者などの登録した発信先からだけの着信の実行を行うことが出来る電話装置１の提供が行え、不用意にオフフックを行ってしまうと言う様な不用意な電話の応答が行われないようにすることが可能な技術の提供が可能になって、例えば、判断能力が低下した老人であったとしても迷惑電話の排除機能の享受を確実に受けることが可能になるという極めて優れた効果を奏する。
【００８８】
その上、電話通信の要求の呼出音に対して、毎回同じように、習慣的に返答するだけで、登録した発信先からの電話通話だけが確実に着信の実行が行われる環境が提供され、電話の応答時に必要とされる注意力を極めて低くすることができる。又、この注意力を低くすることが出来る手順は、毎回同じように返事をするだけであり、迷惑電話を受けない手順として習慣化を創造することが可能になる。したがって、高齢者や判断力の低下した者でも、何時もと同じように返事を行うだけで良く、迷惑電話の排除機能が有効に活用されるようになるという極めて優れた効果を奏する。
【００８９】
電話装置１は、電話通信の着信の実行を左右する登録内容が電話番号であるため、登録作業が簡単でかつ明確になることから、電話通信の着信を音響で行うことを可能にする発信先の登録作業が少ない工数で且つ間違いなく行うことが出来るという極めて優れた効果を奏する。
【００９０】
電話装置１は、予め登録しておいた特定の発信先からの電話通信の着信の要求があった場合には、専用の呼出音が出力されるため、その呼出音を聞くだけで、例えば、家族や福祉関係者からの電話通信の要求であることが理解できると共に、例えば、「はい」と返事をするだけで着信が実行されることも理解でき、見知らぬ者からの迷惑電話ではないかとの疑念を持つことなく、安心して、電話通信の着信の実行を行うことが可能になることから、迷惑電話の排除機能をより信頼性の高いものにすることができるという極めて優れた効果を奏する。
【００９１】
電話装置１は、声紋の一致状態や相違状態を判断に利用することになり、個人の特定や男女の特定が可能なほどの高い精度の判断、或いは物音か、音声かの判別が可能なほどの識別度の判断が可能になるなど、高い設計の自由度を提供することが出来るという極めて優れた効果を奏する。
【００９２】
電話装置１は、筐体３を手３７で持たずにポケットなどに入れている場合には、筐体３が服にすれた音や周囲の音などで誤って着信が実行されないようにし、筐体３を手３７で持っている場合には、着信の実行を行う意思の確認ができる最小限の音響、例えば、「は」等の音声の出だしを検出した時点で着信を実行するようにでき、例えば、携帯電話装置などの実際の使用状態を反映した着信の実行の手順を定めることが可能になり、高い実用性を提供することが可能になると言う極めて優れた効果を奏する。
【００９３】
電話装置１は、筐体３を手３７で持っている場合には、短時間のサンプリング期間によって得た音響情報に基づいて、音響情報同士の一致度合いや相違度合いが判断されることになることから、着信の実行を行う意思の確認ができる最小限の音響、例えば、「は」等の音声の出だしを検出した時点で着信を実行するようにできようになり、高い実用性を提供する構成が簡単に実現可能になると言う極めて優れた効果を奏する。
【００９４】
尚、本発明は、上記の実施の態様の電話装置１に限定されるものではなく、様々な態様の実施が可能である。
次に特許請求の範囲の構成と、発明の実施の形態との対応を説明する。尚、これは、代表例を示す。
【００９５】
請求項１の電話装置は、電話装置１の記載、識別情報登録手段は、図６の自動着信番号登録処理の記載、着信要求検出手段は、図５の老人用自動受信処理が起動される条件の説明である「アンテナ４１を介して無線電話ユニット４３が着信呼出信号を受信すると、図５に示す老人用自動受信処理がＣＰＵ４７で起動され、」の記載、識別情報検出手段は、Ｓ２３００の着信番号検出処理の記載、識別情報登録判断手段は、Ｓ２４００の登録有りかの判断処理の記載、呼出音出力手段は、スピーカ９の説明の記載、音響検出手段は、Ｓ２６００の返事の音取込処理の記載、音響情報登録手段は、図４の自動受話対象登録処理の記載、音響情報登録判断手段は、Ｓ２７００ないしＳ３０００の処理の記載、通話実行手段は、Ｓ３３００の通話状態にする処理の記載がそれぞれ対
請求項２の識別情報が電話番号であるは、Ｓ２３００の着番号検出処理の記載が対応する。
【００９６】
請求項３の呼出音が、上記識別情報を反映した呼出音であることは、Ｓ２５００の着信番号専用の着信音出力処理の記載が対応する。
請求項４の音響情報は、上記音響検出手段によって検出された音響の周波数成分に基づく情報であることは、図７の特徴抽出処理の記載と、図３の記載とが対応する。
【００９７】
請求項５の受話器は、スピーカ９の記載、送話器は、マイク１１の記載、筐体は、筐体３の記載、複数の電極は、電極２５、２７の記載、導通状態検出手段は、タッチ検出回路３９の記載、導通状態判断手段は、Ｓ２１００のタッチ在処の判断処理の記載、判断精度低下手段は、Ｓ２９００の抽出した特徴に該当する登録の出だしをサーチ処理の記載がそれぞれ対応する。
【００９８】
請求項６のサンプリング期間を短縮することは、Ｓ３０００では、２秒間サーチするのを、Ｓ２９００では、出だしの０．５秒間だけサーチすることの記載が対応する。
【図面の簡単な説明】
【００９９】
【図１】電話装置１の使用状態の説明図である。
【図２】電話装置１のブロック図である。
【図３】周波数帯域毎の出力の説明図である。
【図４】ＣＰＵ４７で所定時間毎に起動される自動受話対象登録処理ルーチンのフローチャートである。
【図５】老人用自動受信処理ルーチンのフローチャートである。
【図６】自動着信番号登録処理ルーチンのフローチャートである。
【図７】特徴抽出処理ルーチンのフローチャートである。
【図８】抽出した特徴に該当する登録特徴の出だしをサーチ処理ルーチンのフローチャートである。
【図９】抽出した特徴に該当する登録特徴の出だしから２秒間をサーチ処理ルーチンのフローチャートである。
【符号の説明】
【０１００】
１…電話装置、３…筐体、４…操作側、
５…ディスプレイ、７…操作ボタン部、９…スピーカ、
１１…マイク、１３…表示灯、１５…コネクタ部、
１７…リング、１９…吊り下げストラップ、２１…隣接側、
２５、２７…電極、３１…通話ボタン、３３…切ボタン、３５…数値記号ボタン、
３７…手、３９…タッチ検出回路、４１…アンテナ、
４３…無線電話ユニット、５１…アナログ信号処理部、５３、６７…指示、
５５…アプリケーションカードソケット、５７…アプリケーションメモリ、
５９…自動着信対象特徴格納エリア、６１…自動着信番号格納エリア、
６３…タッチフラグ設定エリア